(57)【特許請求の範囲】
【請求項１】
浴室の壁面に固定される握りバーであって、
上記浴室の壁面のうちの浴槽と洗い場フロアとに隣接する壁面に両端部が固定された手摺り部と、この手摺り部の一端部から延出し、該手摺り部より浴槽寄りに配置されて端部が上記壁面に固定された浴槽蓋保持部と、を備え、
上記浴槽と洗い場フロアとに隣接する壁面と上記浴槽蓋保持部との間隔が、上記浴槽と洗い場フロアとに隣接する壁面と上記手摺り部との間隔よりも広く形成され、上記浴槽蓋保持部が、浴室の上方視で上記浴槽に隣接する位置に、上記手摺り部より浴室中心側にオフセットされて配設されている、握りバー。
【請求項２】
前記浴槽蓋保持部は、前記浴槽と洗い場フロアとに隣接する壁面から次第に離れる折曲部と、該折曲部から延出して前記浴室の上方視で上記浴槽に隣接する位置に配置され、上記浴槽と洗い場フロアとに隣接する壁面と平行に配設された平行部と、を備えている、請求項１に記載の握りバー。
【発明の詳細な説明】
【技術分野】
【０００１】
本発明は、特に浴槽蓋を収納する領域と手摺り領域とが分かれた握りバーに関するものである。
【背景技術】
【０００２】
巻き蓋、分割蓋などの風呂蓋は、入浴時に浴室の隅に片付けられる。例えば、巻き蓋５０は、図８（Ａ）に示すように浴槽１の背側上面に寝かせられ、或いは図８（Ｂ）に示すように洗い場フロア２の浴槽側に立て掛けられる。図８（Ａ）に示す場合は入浴時に入浴者の頭が巻き蓋５０に当たり、図８（Ｂ）に示す場合は洗い場中央側に巻き蓋５０が倒れる虞がある。そこで、図８（Ｃ）に示すように、浴室のコーナーに立て掛けた巻き蓋５０を蓋固定用フック６０を用いて押さえ付けるようにした風呂蓋収納具が、例えば特許文献１に開示されている。
【０００３】
また、従来、浴室には、入浴者が転倒することなどを防止するための握りバーが入浴の補助ツールとして設けられている。この種の握りバーを改良して、風呂蓋を支持する機能を付加した握りバーが特許文献２に開示されている。特許文献２に開示されている握りバーは、図９に示すように、両端間を屈曲形成して、中間部を最も外側に張り出した握り杆部７１と、この握り杆部７１より取付壁面寄りで取付壁面との間に風呂蓋８０の差し込み空間を形成する平行杆部７２と、から構成されている。
【特許文献１】特開平１０−１５５６７６号公報
【特許文献２】実開昭６１−１００２９９号公報
【発明の開示】
【発明が解決しようとする課題】
【０００４】
特許文献２に示す握りバーで支持される風呂蓋８０は平板状の分割蓋であり、巻き蓋を支持するようには構成されていない。
また、特許文献２に示す握りバーでは、バー両端間において、風呂蓋を支える領域と入浴者が把持する領域とが重なっているため、握りバーが浴槽蓋を支持しているときには入浴者が把持できる部分が短くなり、掴みたい部分がつかめない等、使い勝手が良くない。さらに、特許文献２の握りバーで風呂蓋を支持させるためには、バーと壁面との間に風呂蓋を差し込むように、バーより高く風呂蓋を持ち上げる必要がある。これでは、老病人や非力の人には楽に風呂蓋を収納することはできない。
【０００５】
本発明は以上の点に課題に鑑みて、浴槽蓋収納領域と手摺り領域に分けられている、所謂浴室ユニットとしての握りバーを提供することを目的とする。
【課題を解決するための手段】
【０００６】
上記目的を達成するため、本発明の握りバーは、浴室の壁面に固定される握りバーであって、浴室の壁面のうちの浴槽と洗い場フロアとに隣接する壁面に両端部が固定された手摺り部と、この手摺り部の一端部から延出し、手摺り部より浴槽寄りに配置されて端部が壁面に固定された浴槽蓋保持部と、を備え、浴槽と洗い場フロアとに隣接する壁面と浴槽蓋保持部との間隔が浴槽と洗い場フロアとに隣接する壁面と手摺り部との間隔よりも広く形成され、浴槽蓋保持部が、浴室の上方視で浴槽に隣接する位置に、手摺り部より浴室中心側にオフセットされて配設されている。
浴槽蓋保持部は、浴槽と洗い場フロアとに隣接する壁面から次第に離れる折曲部と、折曲部から延出して浴室の上方視で浴槽に隣接する位置に配置され、浴槽と洗い場フロアとに隣接する壁面と平行に配設された平行部と、を備えていてもよい。
【発明の効果】
【０００７】
本発明によれば、入浴時等の風呂蓋を使用しない時に折り畳んで立てかけた当該風呂蓋が倒れることを防止できる。その際、手摺り領域と風呂蓋を支持する領域が分かれているため、手摺り領域を常に使用できる。
【発明を実施するための最良の形態】
【０００８】
以下、図面に基づいて本発明の実施形態を説明する。
〔第１実施形態〕
図１は本発明の第１実施形態に係る握りバー１０を取り付けた浴室Ｒを上方視した図である。図中の、１は浴室Ｒの奥側に設けられた浴槽、２は浴室Ｒの手前側に設けられた洗い場フロア、３ａ〜３ｄは壁面である。壁面の内、３ａは浴室Ｒの手前側の壁面で図示省略するドアが設けられており、３ｄは浴槽１及び洗い場フロア２に隣接する左側の壁面であり、洗い場壁面３１と浴槽壁面３２とで分割構成されている。洗い場壁面３１と浴槽壁面３２とは同幅Ｗ１に形成され、この幅Ｗ１よりも洗い場フロア２の幅Ｗ２は広く設定されている。
【０００９】
図２は図１の握りバー１０を上方視した図である。この握りバー１０は、手摺り部１１と、浴槽蓋保持部１２とから構成されている。
手摺り部１１は棒状に構成されており、その左右両端部に壁面固定用の取付部１３が設けられている。
浴槽蓋保持部１２は、手摺り部１１の一端部からさらに外側に、即ち、左右何れかの方向に延出して形成されており、折曲部１２ａと、折曲部１２ａの先端から延出した平行部１２ｂと、から構成されている。
【００１０】
この握りバー１０は、図１及び図２に示すように、浴槽蓋保持部１２が浴槽寄りに、手摺り部１１が浴槽手前側で、洗い場壁面３１に取付部１３を介して水平に固定されている。なお、図２に示すように、握りバー１０が洗い場壁面３１に固定された状態において、折曲部１２ａは、浴室の奧側へいくにつれて次第に洗い場壁面３１から離れるよう延出している。平行部１２ｂは洗い場壁面３１と平行に配設される。これにより、浴槽蓋保持部１２は、浴槽蓋保持部１２と洗い場壁面３１との間隔が手摺り部１１と洗い場壁面３１との間隔よりも広くなるよう、手摺り部１１の延長線上から壁外方向、即ち浴室中心側にオフセットされて配設されている。また、浴槽蓋保持部１２の先端、即ち平行部１２ｂの先端が浴槽壁面３２の領域内に位置するように、握りバー１０の固定位置は調整されて洗い場壁面３に固定されている。手摺り部１１は、洗い場壁面３１との間に３５〜５０ｍｍ程度の隙間が形成されるように洗い場壁面３１に固定される。握りバー１０を洗い場壁面３１に固定した際、平行部１２ｂと洗い場壁面３１との間には浴槽側が開放された１００〜１５０ｍｍ程度の開口部１４が画成される。
【００１１】
このように構成された、本実施形態に係る握りバー１０よれば、図２に示すように、浴室奥側から開口部１４内に巻き蓋５０を差し込んで、洗い場フロア２上に立て掛けることで、巻き蓋５０は収納される。開口部１４内に差し込まれた巻き蓋５０は、浴槽蓋保持部１２によって支えられて、図３に示すように起立状態が維持される。
【００１２】
よって、本実施形態に係る握りバー１０によれば、開口部１４内に差し込まれた巻き蓋５０が浴室中央側に倒れることを防止できる。その際、握りバー１０は、取付部間が手摺り領域として常に使用できるため、巻き蓋５０を支持した状態で手摺り部１１の使用が制限されることはない。したがって、巻き蓋５０の使用の如何に拘わらず、手摺り部１１を確実に機能させることができる。
【００１３】
また、握りバー１０の浴槽蓋保持部１２は、浴室奧側が開放されて、握りバー１０の横から巻き蓋５０を水平に移動させて開口部１４内に差し込むことができるので、従来の特許文献２の握りバーと異なり、バーより高く蓋を持ち上げる必要がないので、蓋の収納作業が容易になる。
【００１４】
〔第２の実施形態〕
図４は本発明の第２実施形態に係る握りバー１０ａを備えた浴室Ｒを上方視した図であり、図５は図４の握りバー１０ａを上方視した図である。前述の実施形態の構成と同一の構成には同じ符号を付し、その詳細な説明は省略する。
この第２実施形態に係る握りバー１０ａは、第１実施形態に係る握りバー１０と異なり、巻き蓋５０を浴槽蓋保持部２２内に上方から差し込むように構成されている点で相違する。このため、図５に示すように、浴槽蓋保持部２２は、前述の折曲部１２ａ及び平行部１２ｂを備える他に、平行部１２ｂの先端から壁面側へ折れ曲がった折曲部１２ｃと、この折曲部１２ｃの先端に設けられた取付部１２ｄと、を備えている。
握りバー１０ａが第１実施形態の握りバー１０と同様に、取付部１３，１２ｄを介して壁面３ｄに固定された状態で、この折曲部１２ｃは浴槽奧側へ行くにつれて次第に浴槽壁面３２に近接するように延出している。この折曲部１２ｃの先端に設けられた取付部１２ｄは、浴槽壁面３２に固定される。なお、浴槽蓋保持部２２に支持される巻き蓋５０が洗い場フロア２に起立するように、握りバー１０ａの固定位置が調整されている。
この第２実施形態に係る握りバー１０ａによれば、巻き蓋５０が浴槽蓋保持部２２と壁面３ｄ（３１，３２）とで囲繞されるので、確実に巻き蓋が倒れることを防止できる。
【００１５】
〔第３実施形態〕
図６は本発明の第３実施形態に係る握りバー１０ｂを備えた浴室Ｒを上方視した図である。前述の実施形態の構成と同一の構成には同じ符号を付し、その詳細な説明は省略する。
この第３実施形態に係る握りバー１０ｂは、第２実施形態に係る握りバー１０ａと同様に、巻き蓋５０を浴槽蓋保持部内に上方から差し込むように構成されている点では同じであるが、浴槽蓋保持部２５の両端に手摺り部が設けられていることを特徴としている。
このため、図７に示すように、握りバー１０ｂは、浴槽蓋保持部２５の折曲部１２ｃの先端から延出した手摺り部１１ａを備えている。この手摺り部１１ａの両端部には取付部１７が設けられている。
この手摺り部１１ａは、取付部１７を介して浴槽壁面３２に固定されている。なお、浴槽蓋保持部２５に支持される巻き蓋５０が、洗い場フロア２に起立するように、握りバー１０ｂの固定位置が調整されている。
この握りバー１０ｂによれば、浴槽領域にも手摺り１１ａが設けられているので、浴槽１から洗い場フロア２へ移動する際にも、手摺り１１ａを握ることができて、便利である。特に、老人や体の不自由な人にとって有用である。
【００１６】
本発明はその趣旨を逸脱しない範囲で、記述した以外の様々な形態で実施をすることができる。例えば、上記の第１〜第３実施形態に係る各握りバーは、浴室において、巻き蓋が洗い場フロアに起立するようにその位置が調整されて壁面に固定されているが、上記実施形態における壁面での固定位置よりも浴室奧側へずれた位置で壁面に固定されてもよい。この場合、巻き蓋を浴槽の周縁部に起立させることができる。
また、第１実施形態及び第２実施形態に係る握りバー１０，１０ａは、洗い場壁面３１に固定せずに、浴槽壁面３２に固定されてもよい。この場合、手摺り部１１を浴室奧側に、浴槽蓋保持部１２，２２を浴室手前側にして取り付けることもできる。
【図面の簡単な説明】
【００１７】
【図１】本発明の第１実施形態に係る握りバーを取り付けた浴室を上方視した図である。
【図２】図１の握りバーを上方視した図である。
【図３】図２の握りバーの側面図である。
【図４】本発明の第２実施形態に係る握りバーを取り付けた浴室を上方視した図である。
【図５】図４の握りバーを上方視した図である。
【図６】本発明の第３実施形態に係る握りバーを取り付けた浴室を上方視した図である。
【図７】図６の握りバーを上方視した図である。
【図８】従来の風呂蓋の収納例を示す図である。
【図９】従来の風呂蓋の収納例を示す図である。
【符号の説明】
【００１８】
１      浴槽
２      洗い場フロア
３ａ〜３ｄ    壁面
１０，１０ａ，１０ｂ  握りバー
１１，１１ａ    手摺り部
１２，２２，２５    浴槽蓋保持部
１２ａ，１２ｃ  折曲部
１２ｂ  平行部
１２ｄ，１３，１７  取付部
１４    開口部
３１    洗い場壁面
３２    浴槽壁面
５０    蓋
Ｗ１，Ｗ２    幅
Ｒ      浴室
【図１】
0005094379.tif 000002
【図２】
0005094379.tif 000003
【図３】
0005094379.tif 000004
【図４】
0005094379.tif 000005
【図５】
0005094379.tif 000006
【図６】
0005094379.tif 000007
【図７】
0005094379.tif 000008
【図８】
0005094379.tif 000009
【図９】
0005094379.tif 000010